(57)【要約】【課題】蒸気エンジンを用いた熱回収発電システムにおいて、蒸気エンジンのエネルギ変換効率を向上させる。【解決手段】ガスエンジン２と、ガスエンジン２の排ガスおよび冷却水を熱源とする蒸気エンジン４とを備え、蒸気エンジン４は、ガスエンジン２の排ガスと熱交換させることにより、容器内の液体の一部を加熱して気化させる高温側熱交換器１２と、ガスエンジン２の冷却液出口２ｂから流出の冷却液と熱交換させることにより、高温側熱交換器１２に加熱されて生成した蒸気を冷却して液化させる低温側熱交換器１３と有する熱回収発電システムにおいて、ガスエンジン２の冷却液出口２ｂと低温側熱交換器１３との間の冷却水経路２１に、低温側熱交換器１３に流入する冷却水を加熱する加熱手段６を設ける。これにより、ガスエンジン２から流出の冷却水の温度が低い場合に、冷却水の温度を高めて、エネルギ変換効率を向上させることができる。【選択図】図１
2015169145.tif 000002
【特許請求の範囲】
【請求項１】
排ガスを介して熱を外部に排出するとともに、冷却液が流れる冷却液通路（２ａ）および前記冷却液を外部に流出するための冷却液出口（２ｂ）を有する排熱源（２）と、
前記排ガスおよび前記冷却液を熱源とする蒸気エンジン（４）と、
前記蒸気エンジンを動力源とする発電機（５）とを備え、
前記蒸気エンジンは、内部に液体が流動可能に封入された容器（１１）と、前記排ガスと熱交換させることにより、前記容器内の液体の一部を加熱して気化させる高温側熱交換器（１２）と、前記冷却液出口から流出の前記冷却液と熱交換させることにより、前記高温側熱交換器に加熱されて生成した蒸気を冷却して液化させる低温側熱交換器（１３）と有し、
前記高温側熱交換器および前記低温側熱交換器が、前記容器内の液体の一部に対して気化と液化とを繰り返させることにより、前記容器内の液体を自励振動させて前記発電機に機械的エネルギを出力し、
前記冷却液出口と前記低温側熱交換器との間には、前記冷却液を加熱する加熱手段（６、７ｃ、１０）が設けられていることを特徴とする熱回収発電システム。
【請求項２】
前記加熱手段は、加熱前の前記冷却液の温度が６０℃未満の場合に、前記冷却液の温度を６０℃以上とするように構成されていることを特徴とする請求項１に記載の熱回収発電システム。
【請求項３】
前記加熱手段は、前記排ガスを熱源とすることを特徴とする請求項１または２に記載の熱回収発電システム。
【請求項４】
前記加熱手段は、前記高温側熱交換器通過後の前記排ガスと前記低温側熱交換器に流入する冷却水とを熱交換させる熱交換器であることを特徴とする請求項３に記載の熱回収発電システム。
【請求項５】
前記加熱手段は、前記高温側熱交換器通過前の前記排ガスと前記低温側熱交換器に流入する冷却水とを熱交換させる熱交換器であることを特徴とする請求項３に記載の熱回収発電システム。
【発明の詳細な説明】
【技術分野】
【０００１】
本発明は、排熱源から排出される排ガスの熱を利用して外燃機関で発電する熱回収発電システムに関するものである。
【背景技術】
【０００２】
特許文献１に、内燃機関と外燃機関を有し、内燃機関の排ガスの熱を利用して外燃機関で発電する熱回収発電システムが記載されている。特許文献１に記載の熱回収発電システムでは、内燃機関としてガスエンジンを用い、外燃機関としてスターリングエンジンを用いている。また、内燃機関から流出の冷却水をそのままスターリングエンジンの低温側熱交換器に流入させ、スターリングエンジンの低温側熱源として内燃機関の冷却水を用いている。
【０００３】
また、特許文献２に、外燃機関としての液体ピストン蒸気エンジン（以下、単に蒸気エンジンと呼ぶ）が記載されている。この蒸気エンジンは、高温側熱源と低温側熱源による加熱と冷却を繰り返すことで、容器内の液体の一部を相変化させるとともに、容器内の液体を蒸気の膨張仕事を直接的に受ける液体ピストンとして機能させて、機械的エネルギを出力するものである。
【先行技術文献】
【特許文献】
【０００４】
【特許文献１】特開平５−３２８６６６号公報
【特許文献２】特開２００４−０８４５２３号公報
【発明の概要】
【発明が解決しようとする課題】
【０００５】
特許文献１に記載の熱回収発電システムにおける外燃機関として、スターリングエンジンの代わりに特許文献２に記載の蒸気エンジンを用いることが考えられる。
【０００６】
しかし、一般的に熱機関は高温側熱源と低温側熱源の温度差が大きいほど、すなわち、高温側熱源の温度を一定とした場合、低温側熱源の温度が低いほど、エネルギ変換効率が高くなるが、蒸気エンジンにおいては、低温側熱源の温度が低いほど、エネルギ変換効率が低くなることが、本発明者らの実験結果より明らかとなった。なお、エネルギ変換効率は、熱エネルギから機械的エネルギに変換する効率である。
【０００７】
また、内燃機関の運転状態によっては、冷却水が内燃機関に設けられた冷却水通路を通過する際に、冷却水温度が上昇せず、冷却水温度が低いまま、内燃機関から冷却水が流出される場合がある。
【０００８】
このため、蒸気エンジンの低温側熱源として、内燃機関から流出の冷却水を何ら温度制御することなく、そのまま用いると、冷却水温度が低すぎて、蒸気エンジンのエネルギ変換効率が低くなる場合がある。この場合、蒸気エンジンが発電する際の発電効率が低くなり、排熱から電力を効率良く得ることができない。
【０００９】
なお、この問題は、内燃機関から排出の排ガスと内燃機関を通過後の冷却水の熱を利用して、蒸気エンジンで発電する熱回収発電システムに限らず、排熱源から排出の排ガスと排熱源が有する冷却液通路を通過後の冷却水の熱を利用して、蒸気エンジンで発電する熱回収発電システムにおいても、同様に発生する問題である。
【００１０】
本発明は上記点に鑑みて、外燃機関として蒸気エンジンを用いた熱回収発電システムであって、蒸気エンジンのエネルギ変換効率を向上させることができる熱回収発電システムを提供することを目的とする。
【課題を解決するための手段】
【００１１】
上記目的を達成するため、請求項１に記載の発明では、
排ガスを介して熱を外部に排出するとともに、冷却液が流れる冷却液通路（２ａ）および冷却液を外部に流出するための冷却液出口（２ｂ）を有する排熱源（２）と、
排ガスおよび冷却液を熱源とする蒸気エンジン（４）と、
蒸気エンジンを動力源とする発電機（５）とを備え、
蒸気エンジンは、内部に液体が流動可能に封入された容器（１１）と、排ガスと熱交換させることにより、容器内の液体の一部を加熱して気化させる高温側熱交換器（１２）と、冷却液出口から流出の冷却液と熱交換させることにより、高温側熱交換器に加熱されて生成した蒸気を冷却して液化させる低温側熱交換器（１３）と有し、
高温側熱交換器および低温側熱交換器が、容器内の液体の一部に対して気化と液化とを繰り返させることにより、容器内の液体を自励振動させて発電機に機械的エネルギを出力し、
冷却液出口と低温側熱交換器との間には、冷却液を加熱する加熱手段（６、７ｃ、１０）が設けられていることを特徴としている。
【００１２】
これによれば、低温側熱交換器に流入する冷却液を加熱手段によって加熱するので、排熱源から流出の冷却液の温度が低い場合に、冷却液の温度を高めることができる。すなわち、低温側熱交換器に流入する冷却液の温度を、常に、高い温度にすることができる。したがって、本発明によれば、排熱源から流出の冷却液を加熱せずに、蒸気エンジンの低温側熱交換器に流入させる場合と比較して、蒸気エンジンのエネルギ変換効率を向上できる。この結果、蒸気エンジンを用いて発電する際の発電効率を向上でき、排熱から電力を効率良く得ることが可能となる。
【００１３】
なお、この欄および特許請求の範囲で記載した各手段の括弧内の符号は、後述する実施形態に記載の具体的手段との対応関係を示す一例である。
【図面の簡単な説明】
【００１４】
【図１】第１実施形態における熱回収発電システムの全体構成を示す図である。
【図２】図１中の蒸気エンジンおよび第２発電機の構成を示す模式図である。
【図３】図１中の蒸気エンジンにおける冷却水温度とエネルギ変換効率との関係を示す図である。
【図４】蒸気エンジンの容器内部の圧力と体積の関係を示す図である。
【図５】第２実施形態における熱回収発電システムの全体構成を示す図である。
【図６】第３実施形態における熱回収発電システムの全体構成を示す図である。
【図７】第４実施形態における熱回収発電システムの全体構成を示す図である。
【図８】第５実施形態における熱回収発電システムの全体構成を示す図である。
【発明を実施するための形態】
【００１５】
以下、本発明の実施形態について図に基づいて説明する。なお、以下の各実施形態相互において、互いに同一もしくは均等である部分には、同一符号を付して説明を行う。
【００１６】
（第１実施形態）
図１に示すように、本実施形態の熱回収発電システム１は、ガスエンジン２と、第１発電機３と、蒸気エンジン４と、第２発電機５と、温水ボイラ６と、貯湯タンク７と、ウォータポンプ８と、ラジエータ９とを備えている。
【００１７】
ガスエンジン２は、可燃ガスを燃料とする内燃機関であり、内部で可燃ガスを燃焼させた後、外部に排ガスを排出する。このとき、排ガスを介して熱が外部に排出される。したがって、本実施形態では、ガスエンジン２が排ガスを介して熱を外部に排出する排熱源である。
【００１８】
また、ガスエンジン２は、ガスエンジン２を冷却するための冷却水が流れる冷却水通路２ａおよび冷却水通路２ａ通過後の冷却水を外部に流出するための冷却水出口２ｂを有している。なお、本実施形態の冷却水は水であるが、エチレングリコール水溶液等の水溶液であってもよい。
【００１９】
第１発電機３は、ガスエンジン２を動力源として電力を発生させる電力機器である。第１発電機３としては、一般的な発電機が採用可能である。
【００２０】
蒸気エンジン４は、特許文献２と同様のものである。本実施形態の蒸気エンジン４は、高温側熱源としてガスエンジン２の排ガスを用い、低温側熱源としてガスエンジン２から流出の冷却水を用いている。第２発電機５は、蒸気エンジン４を動力源として電力を発生させる電力機器である。
【００２１】
ここで、蒸気エンジン４と第２発電機５の具体的な構成について説明する。
【００２２】
図２に示すように、蒸気エンジン４は、内部に作動流体としての液体が流動可能に封入された容器１１と、容器１１内の液体の一部を加熱して気化させる高温側熱交換器１２と、高温側熱交換器１２に加熱されて生成した蒸気を冷却して液化させる低温側熱交換器１３と有している。また、本実施形態では、容器１１内の液体として水を用いている。
【００２３】
容器１１は、屈曲部１１ａが最下部に位置するように第１、２鉛直部１１ｂ、１１ｃを有する略Ｕ字状に形成されたパイプ状の圧力容器である。容器１１のうち屈曲部１１ａを挟んで水平方向一端側（紙面右側）の第１鉛直部１１ｂに、高温側熱交換器１２が低温側熱交換器１３より上方側に位置するように高温側熱交換器１２および低温側熱交換器１３が設けられている。さらに、第１鉛直部１１ｂのうち高温側熱交換器１２よりも上方側にガス室１４が設けられている。
【００２４】
高温側熱交換器１２は、ガスエンジン２の排ガスと容器１１内の液体とを熱交換させるように構成されている。低温側熱交換器１３は、ガスエンジン２から流出の冷却水と高温側熱交換器１２に加熱されて生成した蒸気とを熱交換させるように構成されている。ガス室１４は、作動流体の蒸気で満たされている。
【００２５】
また、容器１１のうち屈曲部１１ａを挟んで水平方向他端側（紙面左側）の第２鉛直部１１ｃの上端部には、容器１１内の液体から圧力を受けて変位する固体ピストン１５がシリンダ部１５ａに摺動可能に配置されている。
【００２６】
図２に示すように、第２発電機５は、第２鉛直部１１ｃの上端部に配置されている。第２発電機５は、永久磁石が埋設された可動子１６を振動変位させることにより起電力を発生させるリニア振動電機である。可動子１６のシャフト１６ａの一端（下端）は、固体ピストン１５に連結されている。可動子１６のシャフト１６ａの他端（上端）は、可動子１６を固体ピストン１５側に押圧する弾性力を発生させる弾性手段をなすバネ１７に連結されている。
【００２７】
このような構成の蒸気エンジン４は、高温側熱交換器１２および低温側熱交換器１３が、容器１１内の液体の一部に対して気化と液化とを繰り返させることにより、容器１１内の液体を自励振動させて第２発電機５に機械的エネルギを出力する。
【００２８】
具体的には、高温側熱交換器１２により容器１１内の液体の一部が加熱されて蒸気が発生すると、その膨張圧力によって第１鉛直部１１ｂ側の液面が押し下げられる。このため、容器１１内の液体は、第１鉛直部１１ｂから第２鉛直部１１ｃ側に流動変位して固体ピストン１５を押し上げる向きの圧力を固体ピストン１５に作用させる。これにより、固体ピストン１５は、バネ１７の弾性力および可動子１６に作用する磁力に逆らって上方に変位する。このように、容器１１内の液体は、蒸気の膨脹圧力を直接的に受ける液体ピストンとして機能する。
【００２９】
そして、高温側熱交換器１２により発生した蒸気が膨脹して低温側熱交換器１３に至ると、蒸気は低温側熱交換器１３により冷却されて液化されるため、第１鉛直部１１ｂ側の液面を押し下げる力（膨脹圧力）が消滅し、第１鉛直部１１ｂ側の液面が上昇する。このため、容器１１内の液体に押し上げられていた固体ピストン１５が、バネ１７の弾性力により下方に変位する。
【００３０】
第１鉛直部１１ｂ側の液面が上昇すると、再び、高温側熱交換器１２により容器１１内の液体の一部が加熱されて蒸気が発生する。このようにして、容器１１内の液体は、屈曲部１１ａを行き帰りするように自励振動変位しながら、第２発電機５に機械的エネルギを出力する。
【００３１】
図１に示す温水ボイラ６は、高温側熱交換器１２通過後の排ガスと低温側熱交換器１３に流入する冷却水とを熱交換させて冷却水を温水とする熱交換器であり、ガスエンジン２の排ガスを熱源として、低温側熱交換器１３に流入する冷却水を加熱する加熱手段である。温水ボイラ６は、ガスエンジン２の冷却水出口２ｂと蒸気エンジン４の低温側熱交換器１３の冷却水入口１３ａとの間の冷却水経路２１に配置されている。
【００３２】
温水ボイラ６は、冷却水を加熱しない場合と比較して、加熱後の冷却水の温度が蒸気エンジン４のエネルギ変換効率の向上が可能な温度となるように構成されている。具体的には、温水ボイラ６は、低温側熱交換器１３に流入する冷却水の温度が６０℃未満の場合に、冷却水の温度が６０℃以上となるように構成されている。
【００３３】
貯湯タンク７は、低温側熱交換器１３から流出の冷却水、すなわち、冷却水が温水ボイラ６および低温側熱交換器１３を通過して加熱された温水（湯）を貯えるものである。
【００３４】
ウォータポンプ８は、冷却水流れを形成するものであり、貯湯タンク７→ラジエータ９→ガスエンジン２の冷却水通路２ａ→温水ボイラ６→低温側熱交換器１３→貯湯タンク７の順に冷却水を循環させる。
【００３５】
ラジエータ９は、貯湯タンク７から流出してガスエンジン２に流入する冷却水（温水）を、ファン９ａによる送風空気との熱交換により放熱させる放熱用熱交換器である。
【００３６】
上記した構成の熱回収発電システム１は、次のように作動する。
【００３７】
ガスエンジン２が運転されることによって第１発電機３が発電する。このとき、ガスエンジン２から排ガスが排出され、この排ガスが蒸気エンジン４の高温側熱交換器１２に流入する。
【００３８】
また、ウォータポンプ８の作動により、貯湯タンク７→ラジエータ９→ガスエンジン２の冷却水通路２ａ→温水ボイラ６→低温側熱交換器１３→貯湯タンク７の順に冷却水が循環する。これにより、ラジエータ９で冷却された冷却水がガスエンジン２の冷却水通路２ａを流れ、冷却水通路２ａを通過した冷却水が冷却水出口２ｂから流出する。さらに、冷却水出口２ｂから流出の冷却水は、温水ボイラ６で加熱された後、蒸気エンジン４の低温側熱交換器１３に流入する。
【００３９】
そして、蒸気エンジン４では、上述の通り、高温側熱交換器１２および低温側熱交換器１３が、容器１１内の液体の一部に対して気化と液化とを繰り返させることにより、容器１１内の液体を自励振動させて第２発電機５に機械的エネルギを出力することで、第２発電機５が発電する。
【００４０】
ここで、本発明者は、図２に示す蒸気エンジン４において、低温側熱交換器１３に流入する冷却水の温度を変化させて、蒸気エンジン４のエネルギ変換効率を実験により計測した。その結果、図３に示すように、冷却水温度が低いほど、蒸気エンジン４のエネルギ変換効率が低くなることが明らかとなった。
【００４１】
なお、この実験では、容器１１内の液体として水を用い、高温側熱交換器１２の加熱温度を２７０℃とし、低温側熱交換器１３に流入する冷却水の温度を２５℃〜９５℃の間で変更した。そして、容器１１内部の圧力Ｐと、容器１１内部の蒸気体積Ｖと、低温側熱交換器１３の冷却水入口と冷却水出口での冷却水温度の差ΔＴと、低温側熱交換器１３を通過する冷却水の流量とを測定し、次の式を用いて、エネルギ変換効率を算出した。
【００４２】
エネルギ変換効率（％）＝Ｗ／（Ｗ＋Ｑ）×１００
式中のＷは、仕事であり、容器１１内部の圧力Ｐと蒸気体積Ｖから算出した。具体的には、図４に示すＰＶ線図を作成し、ＰＶ線の面積（＝仕事Ｗ）を算出した。また、式中のＱは、熱量であり、低温側熱交換器１３の冷却水入口と冷却水出口での冷却水温度の差ΔＴと低温側熱交換器１３を通過する冷却水の流量とから算出した。
【００４３】
上述の通り、蒸気エンジン４では、膨張仕事を取り出すための作動流体とピストンが同一の液体である。このため、高温側熱交換器１２によって加熱する際では、容器１１内の液体の一部を沸騰させるのと同時に、容器１１内の液体のうち仕事に寄与しない残部（液体ピストン部分）も温めてしまう。したがって、低温側熱交換器１３に流入する冷却水の温度が低いと、容器１１内の液体全体の温度が低くなって、サブクール度が大きくなるため、高温側熱交換器１２によって加熱する際に、多くの熱を液体ピストン部分に与えてしまい、エネルギ変換効率が低下してしまう。
【００４４】
また、ガスエンジン２の運転状態によっては、冷却水が冷却水通路２ａを通過する際に、冷却水温度が上昇せず、冷却水温度が低い状態（例えば、２５℃〜３５℃）のまま、冷却水出口２ｂから冷却水が流出される場合がある。すなわち、ガスエンジン２から流出の冷却水の温度は、常に、高温であるとは限らない。
【００４５】
このため、蒸気エンジン４の低温側熱源として、ガスエンジン２から流出の冷却水を何ら温度制御することなく、そのまま用いると、冷却水温度が低すぎて、蒸気エンジン４のエネルギ変換効率が低くなる場合がある。この場合、蒸気エンジン４を用いて第２発電機５で発電する際の発電効率が低くなってしまう。
【００４６】
これに対して、本実施形態では、ガスエンジン２の冷却水出口２ｂと低温側熱交換器１３の冷却水入口１３ａとの間の冷却水経路２１に温水ボイラ６を設けており、低温側熱交換器１３に流入する冷却水を温水ボイラ６によって加熱するようにしている。
【００４７】
これにより、ガスエンジン２から流出の冷却水の温度が低い場合に、低温側熱交換器１３に流入する冷却水の温度を高めることができる。なお、ガスエンジン２から流出の冷却水の温度が高い場合、低温側熱交換器１３に流入する冷却水の温度を高温に維持、もしくは、さらに高めることができる。すなわち、低温側熱交換器１３に流入する冷却水の温度を、常に、高温とすることができる。したがって、本実施形態によれば、ガスエンジン２から流出の冷却水を加熱せずに、低温側熱交換器１３に流入させる場合と比較して、蒸気エンジン４のエネルギ変換効率を向上できる。この結果、蒸気エンジン４を用いて第２発電機５で発電する際の発電効率を向上でき、ガスエンジン２の排熱から電力を効率良く得ることが可能となる。
【００４８】
特に、本実施形態では、温水ボイラ６は、加熱前の冷却水の温度が６０℃未満の場合に、冷却水温度を６０℃以上とするように構成されている。このため、低温側熱交換器１３に流入する冷却水の温度を、常に、６０℃以上の高温とすることができる。
【００４９】
ここで、図３に示す実験結果によると、低温側熱交換器１３に流入する冷却水の温度が６０℃以上のときの方が６０℃未満のときと比較して、冷却水温度に対するエネルギ変換効率の変化の割合が大きいことがわかる。換言すると、冷却水温度が６０℃以上（例えば、６５℃）のときの方が６０℃未満（例えば、２５℃、３５℃、５０℃）のときと比較して、エネルギ変換効率が高いことがわかる。そこで、本実施形態のように、冷却水温度を６０℃以上とすることで、冷却水温度が６０℃未満の場合と比較して、エネルギ変換効率を高くすることができる。
【００５０】
また、図３に示す実験結果によると、冷却水温度が大気圧下での水の沸点に近い９５℃以下の範囲において、冷却水温度が上昇するにつれて、蒸気エンジン４のエネルギ変換効率が向上していた。したがって、冷却水温度は大気圧下において水の沸点以下とすることが好ましい。
【００５１】
なお、温水ボイラ６による冷却水の加熱温度は、水の沸点よりも高温であってもよい。すなわち、冷却水が気化して蒸気となる温度であってもよい。ちなみに、蒸気エンジン４の容器１１の内部は、真空に近い状態であるので、高温側熱源と低温側熱源との間に温度差があれば、容器１１の内部において液化と気化の相変化が可能である。
【００５２】
ただし、低温側熱源の温度が高くなりすぎると、高温側熱源と低温側熱源の温度差が小さくなるため、エネルギ変換効率が低下する。したがって、温水ボイラ６による冷却水の加熱温度は、容器１１内の蒸気を液化できる温度、かつ、冷却水を加熱する前と比較してエネルギ変換効率が向上する温度に設定される。
【００５３】
（第２実施形態）
本実施形態の熱回収発電システム１は、第１実施形態の熱回収発電システム１に対して、温水ボイラ６の配置を変更したものである。なお、その他の構成は、第１実施形態と同じである。
【００５４】
図５に示すように、温水ボイラ６は、ガスエンジン２の排ガスが流れる排ガス流路のうち高温側熱交換器１２よりも上流側に配置されているとともに、ガスエンジン２の冷却水出口２ｂと低温側熱交換器１３との間の冷却水経路２１に配置されている。このため、温水ボイラ６は、高温側熱交換器１２通過前の排ガスと低温側熱交換器１３に流入する冷却水とを熱交換させることにより、ガスエンジン２の排ガスを熱源として、低温側熱交換器１３に流入する冷却水を加熱する。
【００５５】
本実施形態のように、低温側熱交換器１３に流入する冷却水を加熱することによっても、第１実施形態と同様の効果を奏する。
【００５６】
（第３実施形態）
本実施形態の熱回収発電システム１は、第１実施形態の熱回収発電システム１に対して、低温側熱交換器１３に流入する冷却水の加熱手段を変更したものである。なお、その他の構成は、第１実施形態と同じである。
【００５７】
図６に示すように、本実施形態では、ガスエンジン２の冷却水出口２ｂと低温側熱交換器１３との間の冷却水経路２１に、冷却水を加熱する加熱手段としての電気ヒータ１０を配置している。
【００５８】
なお、本実施形態では、温水ボイラ６は、低温側熱交換器１３と貯湯タンク７との間の冷却水経路２２に配置されており、高温側熱交換器１２通過後の排ガスと低温側熱交換器１３通過後の冷却水とを熱交換させて冷却水を加熱するようになっている。
【００５９】
本実施形態のように、排ガスを熱源としない加熱手段を用いて、低温側熱交換器１３に流入する冷却水を加熱することによっても、第１実施形態と同様の効果を奏する。
【００６０】
（第４実施形態）
本実施形態の熱回収発電システム１は、第１実施形態の熱回収発電システム１の低温側熱交換器１３と貯湯タンク７とを一体化させたものである。なお、その他の構成は、第１実施形態と同じである。
【００６１】
図７に示すように、本実施形態では、低温側熱交換器１３として貯湯タンク７の一部７ａを使用している。より具体的には、貯湯タンク７の内部に、蒸気エンジン４の容器１１の一部が配置されており、貯湯タンク７の内部の冷却水と容器１１内の液体とが熱交換するように構成されている。
【００６２】
貯湯タンク７は、温水ボイラ６で加熱された冷却水を貯えるようになっている。温水ボイラ６は、高温側熱交換器１２通過後の排ガスと貯湯タンク７に流入する冷却水とを熱交換させて冷却水を加熱するようになっている。したがって、本実施形態も、第１実施形態と同様に、高温側熱交換器１２通過後の排ガスと低温側熱交換器に流入する冷却水とを熱交換させて冷却水を加熱しているので、第１実施形態と同様の効果を奏する。
【００６３】
さらに、本実施形態によれば、低温側熱交換器１３として貯湯タンク７の一部７ａを使用するので、低温側熱交換器を別途設ける必要が無くなり、熱回収発電システム１の構成部品を減らすことができる。
【００６４】
また、第１実施形態のように、温水ボイラ６で加熱した冷却水を低温側熱交換器１３に流入させる場合、排ガスの温度変化が大きいため、温水ボイラ６通過後の冷却水の温度変化が大きくなり、蒸気エンジン４の低温側熱源の温度が安定しない恐れがある。
【００６５】
これに対して、貯湯タンク７内部には、温水ボイラ６通過時の冷却水よりも多量の冷却水が貯えられているため、排ガスの温度変化が大きくても、貯湯タンク７内部の冷却水の温度変化は小さくなる。このため、本実施形態によれば、蒸気エンジン４の低温側熱源の温度を一定に近づけることができる。
【００６６】
（第５実施形態）
本実施形態の熱回収発電システム１は、第１実施形態の熱回収発電システム１に対して、低温側熱交換器１３に流入する冷却水の加熱手段を変更したものである。なお、その他の構成は、第１実施形態と同じである。
【００６７】
図８に示すように、本実施形態の熱回収発電システム１は、高温側熱交換器１２通過後の排ガスとガスエンジン２から流出の冷却水との熱交換により生成した湯（加熱された冷却水）を貯える貯湯タンク７を備えている。
【００６８】
この貯湯タンク７は、高温側熱交換器１２通過後の排ガスと貯湯タンク７内部の冷却水とを熱交換させる第１熱交換部７ｂと、貯湯タンク７内部の冷却水と低温側熱交換器１３に流入する冷却水とを熱交換させる第２熱交換部７ｃとを有している。この第２熱交換部７ｃが低温側熱交換器１３に流入する冷却水を加熱する加熱手段である。
【００６９】
本実施形態では、貯湯タンク７の第１熱交換部７ｂにて、貯湯タンク７内部の冷却水が排ガスとの熱交換により加熱される。そして、貯湯タンク７の第２熱交換部７ｃにて、ガスエンジン２の冷却水出口２ｂから流出の冷却水が、貯湯タンク７内部の冷却水との熱交換により加熱される。したがって、本実施形態では、ガスエンジン２の排ガスを熱源として、貯湯タンク７内部の冷却水を介して、低温側熱交換器１３に流入する冷却水を加熱している。このように、低温側熱交換器１３に流入する冷却水を加熱することによっても、第１実施形態と同様の効果を奏する。
【００７０】
さらに、本実施形態によれば、以下の効果を奏する。
【００７１】
本実施形態は、第１実施形態の熱回収発電システム１の温水ボイラ６と貯湯タンク７とを一体化させたものに相当する。したがって、本実施形態によれば、熱回収発電システム１の構成部品を減らすことができる。
【００７２】
また、第１実施形態のように、低温側熱交換器１３に流入する冷却水を温水ボイラ６で加熱した場合、排ガスの温度変化が大きいため、温水ボイラ６通過後の冷却水の温度変化が大きくなる。このため、低温側熱交換器１３に流入する冷却水の温度が安定しない恐れがある。
【００７３】
これに対して、貯湯タンク７内部には、温水ボイラ６通過時の冷却水よりも多量の冷却水が貯えられているため、排ガスの温度変化が大きくても、貯湯タンク７内部の冷却水の温度変化は小さくなる。このため、本実施形態によれば、貯湯タンク７の第２熱交換部７ｃ通過後の冷却水の温度変化を小さくでき、低温側熱交換器１３に流入する冷却水の温度を一定に近づけることができる。
（他の実施形態）
本発明は上記した実施形態に限定されるものではなく、下記のように、特許請求の範囲に記載した範囲内において適宜変更が可能である。
【００７４】
（１）上記した各実施形態では、蒸気エンジン４の容器１１内の液体として、水を用いたが、他の液体を用いてもよい。容器１１内の液体としては、例えば、エタノールや冷凍サイクルに用いられる冷媒等が挙げられる。
【００７５】
（２）上記した各実施形態では、ガスエンジン２を冷却するために冷却水を用いたが、水以外の冷却液を用いてもよい。
【００７６】
（３）上記した各実施形態では、貯湯タンク７は、ガスエンジン２から流出の冷却水を貯えていたが、この冷却水とは別の貯湯用の水を加熱して貯える構成であってもよい。
【００７７】
（４）上記した各実施形態では、内燃機関として、ガスエンジン２を用いていたが、他の内燃機関を用いてもよい。
【００７８】
（５）上記した各実施形態では、排熱源として内燃機関を用いていたが、工業炉等の他の排熱源を用いてもよい。この場合、排熱源は、排ガスを介して熱を外部に排出するとともに、冷却液が流れる冷却液通路および冷却液を外部に流出するための冷却液出口を有するものであればよい。
【００７９】
（６）上記各実施形態は、互いに無関係なものではなく、組み合わせが明らかに不可な場合を除き、適宜組み合わせが可能である。また、上記各実施形態において、実施形態を構成する要素は、特に必須であると明示した場合および原理的に明らかに必須であると考えられる場合等を除き、必ずしも必須のものではないことは言うまでもない。
【符号の説明】
【００８０】
１      熱回収発電システム
２      ガスエンジン（排熱源）
３      第１発電機
４      蒸気エンジン
５      第２発電機
６      温水ボイラ（加熱手段）
１１    容器
１２    高温側熱交換器
１３    低温側熱交換器
【図１】
2015169145.tif 000003
【図２】
2015169145.tif 000004
【図３】
2015169145.tif 000005
【図４】
2015169145.tif 000006
【図５】
2015169145.tif 000007
【図６】
2015169145.tif 000008
【図７】
2015169145.tif 000009
【図８】
2015169145.tif 000010